(57)【要約】【課題】エアフィルタ動作の信頼性向上が図れるフィルタ自動清掃装置を備えた空気調和機を提供する。【解決手段】室内機に内蔵されたエアフィルタに付着した塵埃を自動的に清掃するフィルタ清掃機能を備える空気調和機であって、前記エアフィルタを移動させる移送手段と、移動過程において前記エアフィルタに付着した塵埃を除去する清掃手段を備え、前記移送手段はフィルタ保持部とフィルタ駆動装置から成り、前記フィルタ保持部は通常ガイド部と折返しガイド部とを有し、前記折返しガイド部は前記通常ガイド部の中途部へと連通するとともに、前記連通部で前記通常ガイド部と前記折返しガイド部とを区画するフィルタ桟に、前記エアフィルタに設けたラックの歯のピッチ以上の半径で形成した円弧形状のリブを、前記折返しガイド部内に設けた。【選択図】図２
2018031511.tif 000002
【特許請求の範囲】
【請求項１】
室内機に内蔵されたエアフィルタに付着した塵埃を自動的に清掃するフィルタ清掃機能を備える空気調和機であって、前記エアフィルタを移動させる移送手段と、移動過程において前記エアフィルタに付着した塵埃を除去する清掃手段を備え、前記移送手段はフィルタ保持部とフィルタ駆動装置から成り、前記フィルタ保持部は通常ガイド部と折返しガイド部とを有し、前記折返しガイド部は前記通常ガイド部の中途部へと連通するとともに、前記連通部で前記通常ガイド部と前記折返しガイド部とを区画するフィルタ桟に円弧形状のリブを設けたことを特徴とする空気調和機。
【請求項２】
前記円弧形状のリブは、前記エアフィルタに設けたラックの歯のピッチ寸法以上の半径で形成されたことを特徴とする、請求項１に記載の空気調和機。
【発明の詳細な説明】
【技術分野】
【０００１】
本発明は、室内機に内蔵されたエアフィルタに付着した塵埃を自動的に清掃するフィルタ清掃機能を備える空気調和機に関する。
【背景技術】
【０００２】
従来、この種の空気調和機としては、例えば、特許文献１（特開２００８−５７８８３号公報）に開示されたものが知られている。
【０００３】
特許文献１に開示された空気調和機の自動清掃装置は、エアフィルタを移動させる移送手段と、移動過程においてエアフィルタに付着した塵埃を除去する清掃手段を備え、フィルタガイド部の折返しガイド部が途中で通常ガイド部に連通する移動経路を有する枠体を備えた構成のものである。
【先行技術文献】
【特許文献】
【０００４】
【特許文献１】特開２００８−５７８８３号公報
【発明の概要】
【発明が解決しようとする課題】
【０００５】
特許文献１の空気調和機においては、図１７に示すように、エアフィルタ１８が折返しガイド部２０Ｂから通常ガイド部２０Ａへ移動するとき、通常ガイド部２０Ａと折返しガイド部２０Ｂとの合流部分で、エアフィルタに設けたラック歯１９がフィルタ桟２３に引っ掛る現象が見られ、異音の発生や、エアフィルタ駆動の停止に繋がった。
【０００６】
従って、本発明の目的は、前記課題を解決することにあって、前記のようなエアフィルタの移動経路を有する自動清掃装置を備えた空気調和機において、エアフィルタ駆動の信頼性を向上させることを目的とする。
【課題を解決するための手段】
【０００７】
前記従来の課題を解決するために、本発明の空気調和機は、室内機に内蔵されたエアフィルタに付着した塵埃を自動的に清掃するフィルタ清掃機能を備える空気調和機であって、前記エアフィルタを移動させる移送手段と、移動過程において前記エアフィルタに付着した塵埃を除去する清掃手段を備え、前記移送手段はフィルタ保持部とフィルタ駆動装置から成り、前記フィルタ保持部は通常ガイド部と折返しガイド部とを有し、前記折返しガイド部は前記通常ガイド部の中途部へと連通するとともに、前記連通部で前記通常ガイド部と前記折返しガイド部とを区画するフィルタ桟に、前記エアフィルタに設けたラックの歯のピッチ寸法以上の半径で形成した円弧形状のリブを、前記折返しガイド部内に設けたものである。
【発明の効果】
【０００８】
本発明の空気調和機によれば、前記構成を有することより、エアフィルタ動作の信頼性向上を図ることができる。
【図面の簡単な説明】
【０００９】
【図１】本発明の実施形態に係る空気調和機が備える室内機の斜視図
【図２】図１の室内機の断面図
【図３】本発明の実施形態に係るフィルタ保持部を示す断面図
【図４】本発明の実施形態に係るフィルタ保持部の細部を示す拡大断面図
【図５】ブレード、塵埃受け部、塵埃回収部に関する部品を示す斜視図
【図６】塵埃受け部が上向き姿勢である状態を示す断面図
【図７】塵埃受け部が下向き姿勢である状態を示す断面図
【図８】吸引装置に関連する部品を示す側面図
【図９】塵埃回収部の他端部の拡大斜視図であり、排出通路の開口部が開放された状態を示す図
【図１０】塵埃回収部の他端部の拡大斜視図であり、排出通路の開口部が閉塞された状態を示す図
【図１１】塵埃回収部に関連する部品の側面図
【図１２】図９のＡ１−Ａ１線断面図
【図１３】図９のＡ２−Ａ２線断面図
【図１４】塵埃受け部に関連する部品を示す斜視図
【図１５】図１２の支持部材の周辺の構成を示す拡大斜視図
【図１６】図１２のＢ１−Ｂ１線断面図
【図１７】本発明が解決しようとする課題を示す断面図
【発明を実施するための形態】
【００１０】
本発明の空気調和機は、室内機に内蔵されたエアフィルタに付着した塵埃を自動的に清掃するフィルタ清掃機能を備える空気調和機であって、前記エアフィルタを移動させる移送手段と、移動過程において前記エアフィルタに付着した塵埃を除去する清掃手段を備え、前記移送手段はフィルタ保持部とフィルタ駆動装置から成り、前記フィルタ保持部は通常ガイド部と折返しガイド部とを有し、前記折返しガイド部は前記通常ガイド部の中途部へと連通するとともに、前記連通部で前記通常ガイド部と前記折返しガイド部とを区画するフィルタ桟に円弧形状のリブを設けたものである。
【００１１】
この構成によれば、円弧形状のリブを、フィルタ桟の折返しガイド部内に設けたことにより、エアフィルタが復路から往路へと移動する時、エアフィルタに設けたラックの歯は前記円弧形状のリブ表面を滑らかに摺動することができるため、ラックの歯とフィルタ桟との引っ掛りを無くすことができる。
【００１２】
また、前記円弧形状のリブは、前記エアフィルタに設けたラックの歯のピッチ寸法以上の半径で形成されたものである。
【００１３】
この構成によれば、エアフィルタが往路から復路へと移動する時、エアフィルタに設けたラックの歯は前記円弧状のリブ表面を滑らかに摺動することができるため、ラックの歯とフィルタ桟との引っ掛りを無くすことができる。
【００１４】
（実施形態）
本発明の実施形態に係る空気調和機は、冷媒配管で互いに接続された室外機と室内機とで構成されている。図１は、本実施形態に係る空気調和機の室内機の斜視図である。図２は、図１の室内機の断面図である。
【００１５】
図１又は図２に示すように、本実施形態に係る室内機は、本体２と、本体２の前面開口部２ａを開閉自在に塞ぐ可動式の前面パネル４とを備えている。空気調和機の運転停止時において、前面パネル４は、本体２に密着して前面開口部２ａを閉じるように設けられている。一方、空気調和機の空調運転時において、前面パネル４は、本体２から離反する方向に移動して前面開口部２ａを開放するように設けられている。なお、図１及び図２は、前面パネル４が前面開口部２ａを閉じた状態を示している。
【００１６】
本体２の内部には、図２に示すように、前面開口部２ａ及び上面開口部２ｂから取り入れられた室内空気を熱交換する熱交換器６と、熱交換器６で熱交換された空気を室内に吹き出すための風力源であるファン８とが設けられている。ファン８は、例えば、クロスフローファンであり、本体２の下方に設けられた吹出口１０を通じて室内に空気を吹き出すように設けられている。また、本体２の内部には、吹出口１０を開閉するとともに空気の吹き出し方向を上下に変更する上下風向変更羽根１２と、空気の吹き出し方向を左右に変更する左右風向変更羽根１４とが設けられている。
【００１７】
空気調和機が空調運転を開始すると、上下風向変更羽根１２が開制御されて吹出口１０が開放される。この状態でファン８が駆動されることで、室内空気が前面開口部２ａ及び上面開口部２ｂを介して室内機の内部に取り入れられる。取り入れられた室内空気は、熱交換器６で熱交換され、ファン８を通過し、ファン８の送風方向の下流側に形成された通風路１６を通過して、吹出口１０より吹き出される。
【００１８】
また、前面開口部２ａ及び上面開口部２ｂと熱交換器６との間には、前面開口部２ａ及び上面開口部２ｂから取り入られた室内空気に含まれる塵埃を除去するためのエアフィルタ１８が設けられている。エアフィルタ１８は、枠体部分と、当該枠体部分に保持された網部分とを備えている。本実施形態にかかる空気調和機は、エアフィルタ１８の網部分に付着した塵埃を自動的に清掃するフィルタ清掃機能を備えている。
【００１９】
エアフィルタ１８は、フィルタ保持部２０により保持されている。フィルタ保持部２０には、エアフィルタ１８を保持するための通常ガイド部２０Ａと折返しガイド部２０Ｂとが設けられている。エアフィルタ１８は、フィルタ駆動装置２２により通常ガイド部２０Ａと折返しガイド部２０Ｂに搬送される。
【００２０】
フィルタ駆動装置２２は、室内機の幅方向（図２では奥行き方向）に延在するシャフト２４と、シャフト２４の外周面の一部に取り付けられたギヤ２６とを備えている。エアフィルタ１８にはラック歯１９が配設されて、シャフト２４に架け回されるとともに、ギヤ２６と係合するように取り付けられる。
【００２１】
エアフィルタ１８は、通常、通常ガイド部２０Ａ内に位置し、前面開口部２ａ及び上面開口部２ｂから取り入れられた室内空気に含まれる塵埃を除去する。エアフィルタ１８の清掃開始が指示されると、ギヤ２６が正方向（図２では反時計回り）に回転し、エアフィルタ１８は、通常ガイド部２０Ａから折返しガイド部２０Ｂへ搬送される。エアフィルタ１８が折返しガイド部２０Ｂと通常ガイド部２０Ａとの合流部分を通過して、通常ガイド部２０Ａの最終端に到達すると、ギヤ２６が逆方向（図２では時計回り）に回転し、エアフィルタ１８は、折返しガイド部２０Ｂから通常ガイド部２０Ａへと搬送される。
【００２２】
なお、本実施の形態において、通常ガイド部２０Ａから折返しガイド部２０Ｂまでのエアフィルタ１８の搬送経路を「往路」といい、折返しガイド部２０Ｂから通常ガイド部２０Ａまでのエアフィルタ１８の搬送経路を「復路」という。
【００２３】
シャフト２４の近傍には、エアフィルタ１８がシャフト２４の周囲に沿って移動するようにガイドするガイド部材２８が設けられている。ガイド部材２８は、シャフト２４に対して所定の空間が設けられている。
また、シャフト２４の近傍には、エアフィルタ１８の表面に付着した塵埃を除去するブラシ３０が設けられている。ブラシ３０の下方には、ブラシ３０に付着した塵埃を除去するブレード３２が設けられている。ブレード３２は、例えば、ゴムなど弾性体、好ましくは柔軟性のある軟質性弾性体により構成されている。
【００２４】
ブラシ３０の基端部は、ブラシ移動装置の一例であるブラシ保持部３４により保持されている。ブラシ３０及びブラシ保持部３４は、室内機の幅方向に延在するように設けられている。ブラシ保持部３４が室内機の幅方向に延在する回転軸を中心として回転することにより、ブラシ３０の先端部は、ガイド部材２８よりも往路の下流側でエアフィルタ１８に接触する位置と、ブレード３２の先端部に接触する位置とに移動する。ブラシ３０の先端部がエアフィルタ１８に接触することによりブラシ３０に付着した塵埃は、ブラシ３０がブレード３２に接触することにより除去される。
【００２５】
ブレード３２の基端部は、ブレード３２に掻き落とされた塵埃を受ける塵埃受け部３６に保持されている。塵埃受け部３６の下方には、ブラシ３０及びブレード３２により除去された（掻き落とされた）塵埃を回収する塵埃回収部３８が設けられている。ブレード３２、塵埃受け部３６、及び塵埃回収部３８は、室内機の幅方向に延在するように設けられている。
【００２６】
図３は、本発明の実施形態に係るフィルタ保持部２０を示す断面図である。図３に示すように、折返しガイド部２０Ｂの間口８１付近の空間は、通常部分８０の空間よりも大きく構成している。より具体的には、エアフィルタの厚み方向の空間の寸法を他に部分より大きくとっている。
【００２７】
なお、間口８１付近の空間は、通常ガイド部２０Ａと折返しガイド部２０Ｂとを分離する区画部２１の空間を利用して拡大したものである。
【００２８】
図４は、通常ガイド部２０Ａと折返しガイド部２０Ｂとの合流部分を示した断面図である。図４に示すように、通常ガイド部２０Ａと折返しガイド部２０Ｂとの合流部分は、フィルタ桟２３で区画している。そして、フィルタ桟２３には半径Ｒで形成したリブ８２が折返しガイド部２０Ｂ内に設けてある。なお、半径Ｒは、エアフィルタ１８に設けたラック歯１９のピッチ寸法Ｐと同等以上の値となるように設定している。
【００２９】
図５は、ブレード３２、塵埃受け部３６、及び塵埃回収部３８に関連する部品を示す斜視図である。図５に示すように、塵埃受け部３６の一端部には、塵埃受け部３６を軸回りに回転させる回転装置４０が接続されている。
【００３０】
図６は、塵埃受け部３６が上向き姿勢である状態を示す断面図である。図７は、塵埃受け部３６が下向き姿勢である状態を示す断面図である。図６及び図７に示すように、回転装置４０は、回転軸３６Ａを中心として塵埃受け部３６を回転させるように構成されている。回転装置４０が、塵埃受け部３６を図６に示す上向き姿勢から図７に示す下向き姿勢に回転させることで、塵埃受け部３６が受けた塵埃が塵埃回収部３８に回収される。
【００３１】
塵埃回収部３８には、段部３８Ａが設けられている。塵埃受け部３６は、図６に示すように、上向き姿勢であるとき、回転軸３６Ａから離れた一端部３６Ｂが段部３８Ａ上に載置され、回転を規制される。また、塵埃受け部３６が上向き姿勢であるとき、塵埃受け部３６と塵埃回収部３８との間に、ブラシ３０によってエアフィルタ１８から除去された塵埃の一部を通過させる隙間Ｓ１が設けられている。隙間Ｓ１は、図３に示すように、エアフィルタ１８とブラシ３０とが接触する領域の略鉛直下方に設けられている。
【００３２】
回転装置４０の駆動により、塵埃受け部３６が下向き姿勢に回転されると、図７に示すように、隙間Ｓ１が塞がれ、塵埃受け部３６と塵埃回収部３８とで筒状の排出通路４２が構成される。このとき、ブレード３２は、排出通路４２内に位置する。塵埃回収部３８は、排出通路４２内に位置するブレード３２から下方に離れるように突出する突出部３８Ｂを有している。この突出部３８Ｂにより、ブレード３２と塵埃回収部３８の底部との間隔
を拡大し、ブレード３２と塵埃回収部３８の底部との間に塵埃が詰まることが抑えられる。
【００３３】
また、図５に示すように、排出通路４２の一端部には、塵埃回収部３８に回収された塵埃を気流により排出する排出装置の一例である吸引装置４４が接続されている。吸引装置４４は、排出通路４２内の塵埃を吸引する装置である。排出通路４２の他端部には、開口部４２Ａが設けられている。
【００３４】
なお、図６に示すように塵埃受け部３６は、断面が凸状に湾曲する湾曲面を有し、湾曲面の端に突起７０が設けられている。突起７０は、塵埃受け部３６が上向き姿勢から下向き姿勢に回転動作するときに、湾曲面に集塵された塵埃が飛散することを防止するものである。
【００３５】
また、図７に示すように塵埃受け部３６が下向き姿勢であるとき、塵埃回収部３８の内壁面と塵埃受け部３６とで第１シール部７１と第２シール部７２とが構成され、排出通路４２の気密性を向上させている。
【００３６】
図７に示すようにシール部の隙間は、第１シール部７１よりも第２シール部７２の方が広く設けられている。これは、第１シール部７１は塵埃受け部３６を塵埃回収部３８の内壁面に当接させて形成しており、第２シール部７２は塵埃受け部３６と塵埃回収部３８の内接面との間に微小な隙間を設けて形成させているためである。この構成により、塵埃受け部３６の回転動作の停止とスムーズな動きを確保している。
【００３７】
図８は、吸引装置４４に関連する部品を示す側面図である。図８に示すように、吸引装置４４は、吸引管４６と、吸引管４６内に吸引力を発生させる吸引ファン４８とを備えている。吸引管４６の一端部は塵埃回収部３８の一端部に接続され、吸引管４６の他端部４６Ａは開口している。吸引管４６の他端部４６Ａは、吸引管４６内を通る塵埃を室外に排出できるように、一端が室外に開口した排気ホース（図示せず）に接続される。吸引ファン４８は、塵埃受け部３６と塵埃回収部３８とで排出通路４２が構成されるときに駆動され、排出通路４２内の塵埃を吸引する。
【００３８】
次に、エアフィルタ１８に付着した塵埃を清掃する動作の一例について説明する。エアフィルタ１８に付着した塵埃を清掃する動作中は、塵埃受け部３６は上向き姿勢（図６参照）である。なお、エアフィルタ１８の清掃動作は、図示しない制御部の制御の下で行われる。
【００３９】
図２の状態からギヤ２６が正方向（図２では反時計回り）に回転されると、エアフィルタ１８が通常ガイド部２０Ａから折返しガイド部２０Ｂへ搬送される。エアフィルタ１８の先端部がブラシ保持部３４とシャフト２４との間を通過するとき、ブラシ保持部３４が正方向（図２では時計回り）に回転して、ブラシ３０の先端部がエアフィルタ１８の先端部と網部分とに跨るように接触する。
【００４０】
ギヤ２６が更に正方向に回転されると、エアフィルタ１８が更に折返しガイド部２０Ｂへと搬送される。この搬送の間、ブラシ保持部３４は、ブラシ３０をエアフィルタ１８と接触する位置で固定する。これにより、エアフィルタ１８に付着した塵埃は、定位置で固定されるブラシ３０で堰き止められ、ブラシ３０のエアフィルタ１８の搬送方向の上流側に溜められる。このとき、ブラシ３０に溜められた塵埃とエアフィルタ１８に付着した塵埃とが絡み合って紙縒のように纏まる。これにより、エアフィルタ１８に付着した塵埃の除去効率が向上される。ブラシ３０に付着した塵埃の一部は、隙間Ｓ１を通じて塵埃回収部３８内に掻き落とされる。なお、エアフィルタ１８に対するブラシ３０の押圧力を一定
にするため、例えば、ブラシ３０にダンパーなどの弾性体を設けてもよい。これにより、エアフィルタ１８に付着した塵埃の除去効率が一層向上される。
【００４１】
ギヤ２６が更に正方向に回転され、エアフィルタ１８が折返しガイド部２０Ｂと通常ガイド部２０Ａとの合流部分を通過して、通常ガイド部２０Ａの最終端へ到達すると、ギヤ２６の正方向の回転が停止される。このとき、エアフィルタ１８の後端の一部は折返しガイド部２０Ｂの間口８１で、図３に示すように湾曲した状態で停止される。ブラシ３０の先端部の少なくとも一部は、エアフィルタ１８の清掃領域外にあるエアフィルタ１８の後端部（枠体部分）に接触した状態にある。
【００４２】
その後、ブラシ保持部３４が逆方向（図２では反時計回り）に回転され、ブラシ３０がブレード３２に接触する位置で揺動される。これにより、ブラシ３０に付着した塵埃の残部が、隙間Ｓ１を通じて塵埃回収部３８内と、塵埃受け部３６に受けられる。なお、このとき、ブラシ３０だけでなく、ブレード３２も揺動させてもよい。これにより、ブラシ３０に付着した塵埃の除去効率を向上させることができる。
【００４３】
ブレード３２によるブラシ３０に付着した塵埃の除去が終了すると、ブラシ保持部３４が逆方向に回転され、ブラシ３０がエアフィルタ１８と接触する位置に復帰する。その後、ギヤ２６が逆方向に回転され、エアフィルタ１８の復路の搬送が開始される。
【００４４】
エアフィルタ１８の復路の搬送の間、ブラシ保持部３４は、ブラシ３０をエアフィルタ１８と接触する位置で固定する。これにより、エアフィルタ１８に付着した塵埃は、定位置で固定されるブラシ３０で堰き止められ、ブラシ３０のエアフィルタ１８の搬送方向の上流側に溜められる。ブラシ３０に付着した塵埃の一部は、塵埃受け部３６に受けられる。
【００４５】
エアフィルタ１８の復路の搬送が終了すると、ギヤ２６の逆方向の回転が停止される。その後、ブラシ保持部３４が逆方向（図２では反時計回り）に回転され、ブラシ３０がブレード３２に接触する位置で揺動される。これにより、ブラシ３０に付着した塵埃の残部が、隙間Ｓ１を通じて塵埃回収部３８内と、塵埃受け部３６に受けられる。なお、このとき、上述したように、ブラシ３０だけでなく、ブレード３２も揺動させてもよい。
【００４６】
ブレード３２によるブラシ３０に付着した塵埃の除去が終了すると、エアフィルタ１８の清掃動作が完了する。
【００４７】
次に、塵埃受け部３６及び塵埃回収部３８内の塵埃の排出動作について説明する。なお、当該塵埃の排出動作は、図示しない制御部の制御の下で行われる。
【００４８】
エアフィルタ１８の往路又は復路の搬送が終了すると、回転装置４０が駆動され、塵埃受け部３６が上向き姿勢（図６参照）から下向き姿勢（図７参照）に回転される。これにより、塵埃受け部３６に受けられた塵埃が塵埃回収部３８内に回収される。また、このとき、塵埃受け部３６と塵埃回収部３８とで筒状の排出通路４２が構成される。
【００４９】
その後、吸引装置４４の吸引ファン４８が駆動され、吸引管４６内に吸引力となる気流が発生する。この気流により、排出通路４２内の塵埃が吸引管４６を通じて室外に排出される。これにより、塵埃受け部３６及び塵埃回収部３８内の塵埃の排出動作が完了する。
【００５０】
本実施形態に係る空気調和機によれば、塵埃受け部３６と塵埃回収部３８とで筒状の排出通路４２を構成し、当該排出通路４２に吸引力となる気流を発生させることで塵埃を排出するようにしている。この構成により、塵埃回収部３８を本体２から取り外す等して塵
埃回収部３８内の塵埃を除去する必要性を無くすことができる。従って、塵埃回収部３８内の塵埃を除去する手間を軽減することができる。
【００５１】
また、本実施形態に係る空気調和機によれば、折返しガイド部２０Ｂの間口８１付近の空間を通常部分８０の空間よりも大きく構成している。この構成により、エアフィルタ１８の長さが復路長さよりも長い場合において、折返しガイド部２０Ｂを移動するエアフィルタ１８は、図３に示すように、間口８１内で湾曲することができるため、エアフィルタの突っ張りや、清掃手段２９で清掃できない部分を無くすことができる。
【００５２】
また、本実施形態に係る空気調和機によれば、折返しガイド部２０Ｂの間口８１の空間を拡大する際、区画部２１の空間を利用して拡大している。この構成により、フィルタ保持部２０を拡大することなく、折返しガイド部２０Ｂの間口空間を拡大することができるため、室内機本体への収納性に影響を与えない。
【００５３】
また、本実施形態に係る空気調和機によれば、フィルタ桟２３に、エアフィルタ１８に設けたラック歯１９のピッチ寸法Ｐと同等以上の半径Ｒを持つリブ８２を折返しガイド部内に形成している。この構成により、エアフィルタ１８が復路から往路へと移動途中に発生する、ラック歯１９とフィルタ桟２３との引っ掛かりを防止することができる。なお、リブ８２は、フィルタ桟２３の通常ガイド部内に設けてもかまわない。この構成により、エアフィルタ１８が往路から復路へと移動するときに、ラック歯１９とフィルタ桟２３との引っ掛りを防止することができる。
【００５４】
また、本実施形態に係る空気調和機によれば、塵埃受け部３６が上向き姿勢であるとき、塵埃受け部３６と塵埃回収部３８との間に隙間Ｓ１が設けられている。この構成によれば、エアフィルタ１８から除去された塵埃の一部を、隙間Ｓ１を通じて塵埃回収部３８に直接的に回収することができる。これにより、エアフィルタ１８から除去された塵埃の全部を塵埃受け部３６が受ける必要性を無くすことができる。
【００５５】
また、本実施形態に係る空気調和機によれば、隙間Ｓ１は、エアフィルタ１８とブラシ３０とが接触する領域の略鉛直下方に設けられている。特に、隙間Ｓ１は、エアフィルタ１８の往路の搬送時に、ブラシ３０のエアフィルタ１８の搬送方向の上流側に設けられていることが好ましい。この構成によれば、隙間Ｓ１を通じて塵埃回収部３８に直接的に回収される塵埃の量を増加させることができる。
【００５６】
また、本実施形態に係る空気調和機によれば、吸引装置４４が気流により排出通路４２内の塵埃を排出する際、ブレード３２が排出通路４２内に位置するので、ブレード３２に付着した塵埃も前記気流により除去することが可能になる。
【００５７】
また、本実施形態に係る空気調和機によれば、排出通路４２の他端部が開口部４２Ａを有するので、排出通路４２の略全長にわたって気流を生じさせることができ、排出通路４２内の塵埃の除去効率を向上させることができる。
【００５８】
なお、排出通路４２の他端部の開口部４２Ａを常時開放したままにすると、台風などの強い風が吸引装置４４側から排出通路４２に流入し、排出通路４２を逆流して開口部４２Ａから排出されることが起こり得る。このとき、排出通路４２内に塵埃が存在すると、当該塵埃が開口部４２Ａから排出されることが起こり得る。通常、開口部４２Ａは、室内に位置するので、塵埃が室内に放出されることになる。このため、図９及び図１０に示すように、塵埃受け部３６と一体的に回転するように取り付けられ、塵埃受け部３６が下向き姿勢にあるときに開口部４２Ａを開放し（図９参照）、塵埃受け部３６が上向き姿勢にあるときに開口部４２Ａを閉塞する（図１０参照）開閉弁５０を備えることが好ましい。こ
の構成によれば、塵埃受け部３６が回転する力を利用して開口部４２Ａを開閉することができ、室内に塵埃が放出されることを抑えることができる。
【００５９】
また、通常、吸引装置４４の吸引力は、吸引装置４４から離れるほど小さくなる。このため、排出通路４２は、吸引装置４４から離れるに従い開口面積が小さくなるように構成されることが好ましい。図１１は塵埃回収部３８に関連する部品の側面図であり、図１２は図１１のＡ１−Ａ１線断面図であり、図１３は図１１のＡ２−Ａ２線断面図である。図１１〜１３に示すように、吸引装置４４から離れるに従い排出通路４２の開口面積が小さくなるように構成することで、吸引装置４４から離れた位置の吸引力を向上させることができる。これにより、排出通路４２内の吸引力をより均一にすることができる。
【００６０】
また、塵埃回収部３８の長手方向の中間部には、塵埃受け部３６を下方から支持する支持部材５２が設けられることが好ましい。図１４は塵埃受け部３６に関連する部品を示す斜視図であり、図１５は図１４の支持部材５２の周辺の構成を示す拡大斜視図であり、図１６は図１４のＢ１−Ｂ１線断面図である。図１４〜図１６に示すように、塵埃受け部３６を下方から支持する支持部材５２を設けることで、支持部材５２により塵埃受け部３６が撓むことを抑えることができる。また、支持部材５２は、下向き姿勢の塵埃受け部３６の下端部よりも上方に設けられることが好ましい。例えば、塵埃受け部３６の長手方向の中間部に、支持部材５２を受け入れる溝部３６Ｃを設け、支持部材５２を塵埃回収部３８の段部３８Ａに載置するように構成することが好ましい。この構成によれば、排出通路４２の開口面積が支持部材５２により狭くなることを抑えることができる。これにより、排出通路４２内の気流の流れを円滑にして、排出通路４２内の塵埃の除去効率を向上させることができる。なお、塵埃受け部３６は、２つの部材に分割して、当該２つの部材を溝部３６Ｃで連結するように構成されてもよい。
【００６１】
また、ブレード３２が塵埃受け部３６に保持される場合、ブレード３２とブラシ３０とが接触する際に生じる圧力が塵埃受け部３６にかかる。この場合、塵埃受け部３６は長尺部材であるので、塵埃受け部３６が変形することが起こり得る。このため、塵埃受け部３６は、図１６に示すように、回転装置４０により回転される方向に切った断面において凸状に湾曲する湾曲面３６Ｄを有し、ブレード３２は、湾曲面３６Ｄの頂部に設けられることが好ましい。この構成によれば、塵埃受け部３６が平板状である場合よりも、塵埃受け部３６の強度を向上させることができる。
【産業上の利用可能性】
【００６２】
以上のように、本発明にかかる空気調和機は、塵埃回収部内の塵埃を除去する手間を軽減することができるので、一般家庭で使用される空気調和機を含む様々な空気調和機として有用である。
【符号の説明】
【００６３】
２  本体
２ａ  前面開口部
２ｂ  上面開口部
４  前面パネル
６  熱交換器
８  ファン
１０  吹出口
１２  上下風向変更羽根
１４  左右風向変更羽根
１６  通風路
１６Ａ  開口部
１８  エアフィルタ
１９  ラック歯
２０  フィルタ保持部
２０Ａ  通常ガイド部
２０Ｂ  折返しガイド部
２１  区画部
２２  フィルタ駆動装置
２３  フィルタ桟
２４  シャフト
２６  ギヤ
２８  ガイド部材
２９  清掃手段
３０  ブラシ
３２  ブレード
３４  ブラシ保持部
３６  塵埃受け部
３６Ａ  回転軸
３６Ｂ  一端部
３６Ｃ  溝部
３６Ｄ  湾曲面
３８  塵埃回収部
３８Ａ  段部
３８Ｂ  突出部
４０  回転装置
４２  排出通路
４２Ａ  開口部
４４  吸引装置（排出装置）
４６  吸引管
４６Ａ  他端部
４８  吸引ファン
５０  開閉弁
５２  支持部材
６０  送風装置
６２  風向切替装置
６４  送風管
６４Ａ  開口部
６６  開閉弁
７０  突起
７１  第１シール部
７２  第２シール部
８０  通常部分
８１  間口
８２  リブ
【図１】
2018031511.tif 000003
【図２】
2018031511.tif 000004
【図３】
2018031511.tif 000005
【図４】
2018031511.tif 000006
【図５】
2018031511.tif 000007
【図６】
2018031511.tif 000008
【図７】
2018031511.tif 000009
【図８】
2018031511.tif 000010
【図９】
2018031511.tif 000011
【図１０】
2018031511.tif 000012
【図１１】
2018031511.tif 000013
【図１２】
2018031511.tif 000014
【図１３】
2018031511.tif 000015
【図１４】
2018031511.tif 000016
【図１５】
2018031511.tif 000017
【図１６】
2018031511.tif 000018
【図１７】
2018031511.tif 000019